(57)【要約】【課題】回転往復運動を利用した圧力変換により、直動ピストン式水−空気圧変換装置に必要となるピストンロッド伸張部の圧力室外突出スペースが不要となり、装置サイズがコンパクトな水−空気圧変換装置を提供する。【解決手段】本発明は、水圧より空気圧を取出す水−空気圧変換装置であって、容器内の軸径方向断面形状が円である容器と、容器内を容器内の軸を基点として水が給排水される２つの圧力室と、空気が給排気される２つの圧力室とに区分けする回動可能な可動隔壁と、固定壁と、水が給排水される２つの圧力室にそれぞれ水を給排水するための水管、及び給水手段と、水管路中に、給排水状態を切り替える水用切換え手段と、水用切換え手段を制御する制御部とが設けられ、前記可動隔壁を利用して水が給排水される２つの圧力室の内、一方の圧力室を給水状態、他方の圧力室を排水状態となるように水用切換え手段を制御した。【選択図】  図１
2006329017.tif 000002
【特許請求の範囲】
【請求項１】
水圧を利用して空気を吐出するための水−空気圧変換装置であって、
容器内の軸径方向断面形状が円である容器と、前記容器内に設けられ、前記容器を前記容器内の軸を基点として前記容器を水が給排水される２つの圧力室と、空気が給排気される２つの圧力室に区分けする前記容器内の軸を基点として回動可能な可動隔壁と、固定壁と、前記水が給排水される２つの圧力室に水を給水するための給水手段と、前記水が給排水される２つの圧力室にそれぞれ水を給排水するための水管と、前記水が給排水される２つの圧力室から水を装置外に排水するための排水口と、前記水管路中に、前記水が給排水される圧力室へ水を給水する状態と、前記水が給排水される圧力室の水を排水する状態とに切り替える水用切換え手段と、前記空気が給排気される２つの圧力室にそれぞれ空気を給排気するための空気管と、前記水用切換え手段を制御する制御部とが設けられ、前記水が給排水される２つの圧力室のうち一方の圧力室が給水状態の時は、他方の圧力室は排水状態となるように前記水用切換え手段を制御することを特徴とする水−空気変換装置。
【請求項２】
前記水が給排水される圧力室への水の供給状態が、給水状態と排水状態とを交互に繰り返し行われるように、前記水切換え手段を制御することを特徴とする請求項１記載の水−空気圧変換装置。
【請求項３】
前記空気が給排気される２つの圧力室に連通した前記空気管には、空気を給気するための給気口と、空気を排気するための排気口がそれぞれ設けられ、各排気口が容器外で連通していることを特徴とする請求項１又は２記載の水−空気圧変換装置。
【請求項４】
前記水管は前記給水手段および排水口から前記水が給排水される２つの圧力室へそれぞれ連通しており、前記給水手段または排水口から前記水が給排水される２つの圧力室へそれぞれ連通する水管のうちの少なくとも１つは、分岐部を介して前記水が給排水される２つの圧力室へ連通し、前記水用切換え手段は、前記分岐よりも前記給排水される２つの圧力室側の水管路中にそれぞれ設けられた止水弁であることを特徴とする請求項１乃至３の何れか１項に記載の水−空気圧変換装置。
【請求項５】
前記水管は前記給水手段および排水口から前記水が給排水される２つの圧力室へそれぞれ連通しており、前記給水手段または排水口から前記水が給排水される２つの圧力室へそれぞれ連通する水管のうちの少なくとも１つは、分岐部を介して前記水が給排水される２つの圧力室へ連通し、前記水用切換え手段は前記分岐部に設けられた水用三方弁であることを特徴とする請求項１乃至３の何れか１項に記載の水−空気圧変換装置。
【請求項６】
前記水管は前記給水手段および排水口から前記水が給排水される２つの圧力室へそれぞれ連通しており、前記給水手段から前記水が給排水される２つの圧力室へそれぞれ連通する水管のうちの少なくとも１つは、分岐部を介して前記水が給排水される２つの圧力室の一方と前記排水口へ連通するように構成され、前記水用切換え手段は前記分岐部に設けられた水用三方弁であることを特徴とする請求項１乃至３の何れか１項に記載の水−空気圧変換装置。
【請求項７】
前記空気管路中に、前記空気が給排気される２つの圧力室へ空気を給気する状態と、前記空気が給排水される２つの圧力室の空気を排気する状態とに切り替える空気用切替え手段が設けられ、前記可動壁の動作により、前記空気が給排気される一方の圧力室が加圧状態になった時には、その圧力室を排気状態へ、前記空気が給排気される他方の圧力室が減圧状態になった時には、その圧力室を給気状態へなるように前記空気用切替え手段を前記制御部によって制御することを特徴とする請求項１乃至６の何れか１項に記載の水−空気圧変換装置。
【請求項８】
前記空気管は前記給気口および排気口から前記空気が給排気される２つの圧力室へそれぞれ連通しており、前記給気口または排気口から前記空気が給排気される２つの圧力室へそれぞれ連通する空気管のうちの少なくとも１つは、分岐部を介して前記空気が給排気される２つの圧力室へ連通し、前記空気用切換え手段は前記分岐部に設けられた空気用三方弁であることを特徴とする請求項１乃至７の何れか１項に記載の水−空気圧変換装置。
【請求項９】
前記空気管は前記給気口および排気口から前記空気が給排気される２つの圧力室へそれぞれ連通しており、前記給気口から前記空気が給排気される２つの圧力室へそれぞれ連通する空気管のうちの少なくとも１つは、分岐部を介して前記空気が給排気される２つの圧力室の一方と前記排気口へ連通するように構成され、前記空気用切換え手段は前記分岐部に設けられた空気用三方弁であることを特徴とする請求項１乃至７の何れか１項に記載の水−空気圧変換装置。
【発明の詳細な説明】
【技術分野】
【０００１】
本発明は、水圧を空気圧に変換し、変換した空気圧を有効に利用する水−空気圧変換装置に関する。
【背景技術】
【０００２】
従来の水−空気圧変換装置は、２つの直動ピストンにより区分けされた水と空気の圧力室が設けられ、給水元圧を利用した各直動ピストンの直線運動を相互にピストンロッド端部を連結させることにより給水元圧の水圧を空気圧として変換、供給している（例えば、特許文献１参照。）。 
【特許文献１】実公昭５１−２３３６７号公報（第１頁、第１図）
【発明の開示】
【発明が解決しようとする課題】
【０００３】
しかし、直動ピストンが並列に設置された水−空気圧変換装置の場合、各直動ピストンが給水元圧を相互伝達するためにはピストンロッドの伸張部が圧力室外へ突出する必要があり、装置サイズが大きくなる問題があった。
【０００４】
本発明は、上記問題を解決するためになされたもので、本発明の課題は、直動ピストン式水−空気圧変換装置におけるピストンロッド可動によるピストンロッド伸張部の圧力室外突出スペースを排し、よりコンパクトな水−空気圧変換装置を提供することにある。
【課題を解決するための手段】
【０００５】
上記目的を達成するために請求項１記載の発明によれば、水圧を利用して空気を吐出するための水−空気圧変換装置であって、容器内の軸径方向断面形状が円である容器と、前記容器内に設けられ、前記容器を前記容器内の軸を基点として前記容器を水が給排水される２つの圧力室と、空気が給排気される２つの圧力室に区分けする前記容器内の軸を基点として回動可能な可動隔壁と、固定壁と、前記水が給排水される２つの圧力室に水を給水するための給水手段と、前記水が給排水される２つの圧力室にそれぞれ水を給排水するための水管と、前記水が給排水される２つの圧力室から水を装置外に排水するための排水口と、前記水管路中に、前記水が給排水される圧力室へ水を給水する状態と、前記水が給排水される圧力室の水を排水する状態とに切り替える水用切換え手段と、前記空気が給排気される２つの圧力室にそれぞれ空気を給排気するための空気管と、前記水用切換え手段を制御する制御部とが設けられ、前記水が給排水される２つの圧力室のうち一方の圧力室が給水状態の時は、他方の圧力室は排水状態となるように前記水用切換え手段を制御することを特徴としている。
【０００６】
本発明によれば、このような圧力容器内の軸断面形状を円形とし、円形圧力容器内において給水元圧が供給される水室、及び空気圧を提供する空気圧室が固定壁により区分され、更に円形圧力容器内が回転可能な可動壁によって区分けされる構造とすることにより、直動ピストン式水−空気圧変換装置に必要となるピストンロッド突出部のスペースが不要となり、装置サイズがコンパクトな水−空気圧変換装置を提供することができる。
【０００７】
また、上記目的を達成するために請求項２記載の発明のよれば、前記水が給排水される圧力室への水の供給状態が、給水状態と排水状態とを交互に繰り返し行われるように、前記水切換え手段を制御することを特徴としている。
【０００８】
水が給排水される２つの圧力室はそれぞれ給水状態と排水状態が交互に繰り返し行われるため、可動壁が回転往復運動し、空気が給排気される２つの圧力室はそれぞれ加圧状態、減圧状態が交互に繰り返し行われる。繰り返し交互に加圧状態となる空気の圧力室から排気ノズルへ排気させることにより、空気圧を連続的に提供することが可能となる。
【０００９】
また、上記目的を達成するために請求項３記載の発明によれば、前記空気が給排気される２つの圧力室に連通した前記空気管には、空気を給気するための給気口と、空気を排気するための排気口がそれぞれ設けられ、各排気口が容器外で連通していることを特徴としている。
【００１０】
このような構成とすることにより、空気が給排気される２つの圧力室の排気口を単一の排気ノズルに連通させることにより、単一の排気ノズルから連続的に空気圧を排気させることができる。
【００１１】
また、上記目的を達成するために請求項４記載の発明によれば、前記水管は前記給水手段および排水口から前記水が給排水される２つの圧力室へそれぞれ連通しており、前記給水手段または排水口から前記水が給排水される２つの圧力室へそれぞれ連通する水管のうちの少なくとも１つは、分岐部を介して前記水が給排水される２つの圧力室へ連通し、前記水用切換え手段は、前記分岐よりも前記給排水される２つの圧力室側の水管路中にそれぞれ設けられた止水弁であることを特徴としている。
【００１２】
このように給水管、及び排水管路上に個別に止水弁を設けることにより、止水弁が故障した際は、故障個所のみの交換による修理が出来、メンテナンス性を向上させることができる。
【００１３】
また、上記目的を達成するために請求項５記載の発明によれば、前記水管は前記給水手段および排水口から前記水が給排水される２つの圧力室へそれぞれ連通しており、前記給水手段または排水口から前記水が給排水される２つの圧力室へそれぞれ連通する水管のうちの少なくとも１つは、分岐部を介して前記水が給排水される２つの圧力室へ連通し、前記水用切換え手段は前記分岐部に設けられた水用三方弁であることを特徴としている。
【００１４】
前記水用切替え手段として前記水用三方弁を設けることにより、給水管、排水管にそれぞれ止水弁を設置するよりも部品点数が少なくコンパクト性を高めることが出来、且つ、制御対象の減少により複雑な制御が不要となるため制御を簡単化できる。
【００１５】
また、上記目的を達成するために請求項６記載の発明によれば、前記水管は前記給水手段および排水口から前記水が給排水される２つの圧力室へそれぞれ連通しており、前記給水手段から前記水が給排水される２つの圧力室へそれぞれ連通する水管のうちの少なくとも１つは、分岐部を介して前記水が給排水される２つの圧力室の一方と前記排水口へ連通するように構成され、前記水用切換え手段は前記分岐部に設けられた水用三方弁であることを特徴としている。
【００１６】
前記水用切替え手段として前記水用三方弁を設けることにより、前記水用三方弁と前記水が給排水される２つの圧力室を連通するように接続される水管を給排水管としてまとめるため、給水管と、排水管を個別に設ける場合に比べ部品点数の減少によりコンパクト性を高めることが出来、且つ生産工程の減少により生産効率を向上させることができる。
【００１７】
また、上記目的を達成するために請求項７記載の発明によれば、前記空気管路中に、前記空気が給排気される２つの圧力室へ空気を給気する状態と、前記空気が給排水される２つの圧力室の空気を排気する状態とに切り替える空気用切替え手段が設けられ、前記可動壁の動作により、前記空気が給排気される一方の圧力室が加圧状態になった時には、その圧力室を排気状態へ、前記空気が給排気される他方の圧力室が減圧状態になった時には、その圧力室を給気状態へなるように前記空気用切替え手段を前記制御部によって制御することを特徴としている。
【００１８】
前記空気用切替え手段によって、加圧状態の前記空気が給排気される圧力室より給気口へ加圧空気を送り出すことなく、効率よく排気口へ加圧空気を送り出すことができる。
【００１９】
また、請求項８記載の発明によれば、前記空気管は前記給気口および排気口から前記空気が給排気される２つの圧力室へそれぞれ連通しており、前記給気口または排気口から前記空気が給排気される２つの圧力室へそれぞれ連通する空気管のうちの少なくとも１つは、分岐部を介して前記空気が給排気される２つの圧力室へ連通し、前記空気用切換え手段は前記分岐部に設けられた空気用三方弁であることを特徴としている。
【００２０】
前記空気用切替え手段として前記空気用三方弁を設けることにより、給気管、排気管にそれぞれ開閉弁を設置するよりも部品点数が少なくコンパクト性を高めることが出来、且つ、制御対象の減少により複雑な制御が不要となるため制御を簡単化できる。
【００２１】
また、請求項９記載の発明によれば、前記空気管は前記給気口および排気口から前記空気が給排気される２つの圧力室へそれぞれ連通しており、前記給気口または排気口から前記空気が給排気される２つの圧力室へそれぞれ連通する空気管のうちの少なくとも１つは、分岐部を介して前記空気が給排気される２つの圧力室へ連通し、前記空気用切換え手段は前記分岐部に設けられた空気用三方弁であることを特徴としている。
【００２２】
前記空気用切替え手段として前記空気用三方弁を設けることにより、前記空気用三方弁と前記空気が給排気される２つの圧力室を連通するように接続される空気管を給排気管としてまとめるため、給気管と、排気管を個別に設ける場合に比べ部品点数の減少によりコンパクト性を高めることが出来、且つ生産工程の減少により生産効率を向上させることができる。
【発明の効果】
【００２３】
本発明によれば、直動ピストン式水−空気圧変換装置に必要となるピストンロッド可動によるピストンロッド伸張部の圧力室外への突出スペースが不要となり、装置サイズがコンパクトな水−空気圧変換装置を提供することが可能となる。
【発明を実施するための最良の形態】
【００２４】
次に、添付図面を参照して、本発明の好ましい実施形態を説明する。
まず、図１乃至２を参照して、本発明の第一実施形態による水−空気圧変換装置を説明する。図１は、本発明の第一実施形態による水−空気圧変換装置の第一弁開閉状態における概略断面図である。また、図２は、本発明の第一実施形態による水−空気圧変換装置の第二弁開閉状態における概略断面図である。更に、図３は本発明の第一実施形態による水−空気圧変換装置をキッチンへ組込んだ例の概略図である。
【実施例】
【００２５】
まず、図１を参照して、本発明の第一実施形態による水−空気圧変換装置を説明する。
図１は本発明の第１実施形態による水−空気圧変換装置の概略図である。
【００２６】
まず、図１を参照して、本発明の第一実施形態による水−空気圧変換装置の構成について説明する。
図１に示すように、本発明の第一の実施形態による水−空気圧変換装置１００は、円筒状容器１０１と、円筒中心軸１０２と、円筒径方向にそれぞれが円筒中心軸１０２を挟んで軸対称に延在した平板状の固定壁Ａ１０３及び固定壁Ｂ１０４と、軸回転に伴って回転可能なように円筒中心軸１０２と接続され、円筒径方向にそれぞれが円筒中心軸１０２を挟んで軸対称に延在した平板状の可動隔壁Ａ１０５及び可動隔壁Ｂ１０６と、固定壁Ａ１０３と可動隔壁Ａ１０５とによって仕切られる水用圧力室Ａ１０７と、固定壁Ａ１０３と可動隔壁Ｂ１０６とによって仕切られる水用圧力室Ｂ１０８と、固定壁Ｂ１０４と可動隔壁Ａ１０５とによって仕切られる空気用圧力室Ａ１０９と、固定壁Ｂ１０４と可動隔壁Ｂ１０６とによって仕切られる空気用圧力室Ｂ１１０とを有する。
【００２７】
次に、図１を参照して、本発明の第一実施形態による水−空気圧変換装置の給排水系の構成について説明する。
図１に示すように、水用圧力室Ａ１０７には第一排水接続口１１１と第一給水接続口１１２がそれぞれ独立して設けられ、水用圧力室Ｂ１０８には第二排水接続口１１３と第二給水接続口１１４がそれぞれ独立して設けられている。
ここで、第一排水接続口１１１には水管Ａ２０１の端部が接続され、水管Ａ２０１のもう一つの端部は、排水用三方弁２０２に接続され、排水用三方弁２０２によって水管Ａ２０１の開閉が行われる。
第一給水接続口１１２には水管Ｂ２０３の端部が接続されるとともに、水管Ｂ２０３の管路中には第一給水用止水弁２０４が取り付けられ、第一給水用止水弁２０４によって水管Ｂ２０３の開閉が行われる。
第二排水接続口１１３には水管Ｃ２０５の端部が接続され、水管Ｃ２０５のもう一つの端部は、排水用三方弁２０２に接続され、排水用三方弁２０２によって水管Ｃ２０５の開閉が行われる。
第二給水接続口１１４には水管Ｄ２０６の端部が接続されるとともに、水管Ｄ２０６の管路中には第二給水用止水弁２０７が取り付けられ、第二給水用止水弁２０７によって水管Ｄ２０６の開閉が行われる。
給水元（記載せず）に連通する給水管２０８は第一分岐部２０９を介して水管Ｂ２０３と水管Ｄ２０６に分岐される。
また、排水口（記載せず）へ連通する排水管２１０は排水用三方弁２０２（第二分岐部）を介して水管Ａ２０１と水管Ｃ２０５に分岐される。
【００２８】
次に、図１を参照して、本発明の第一実施形態による水−空気圧変換装置の給排気系の構成について説明する。
図１に示すように空気用圧力室Ａ１０９には第一給排気接続口１１５が、空気用圧力室Ｂ１１０には第二給排気接続口１１６が設けられている。
ここで、第一給排気接続口１１５には空気管Ａ３０１の端部が接続され、空気管Ａ３０１のもう一つの端部は、第一給排気用三方弁３０２に接続される。
また、第二給排気接続口１１６には空気管Ｂ３０３の端部が接続され空気管Ｂ３０３のもう一つの端部は、第二給排気用三方弁３０４に接続される。
ここで、第一給排気用三方弁３０２には給気管Ａ３０５の端部と、排気管Ａ３０６の端部が連通するように接続され、また、第二給排気用三方弁３０４には給気管Ｂ３０７の端部と、排気管Ｂ３０８の端部が連通するように接続されている。
更に、給気管Ａ３０５と給気管Ｂ３０７のもう一方の端部は給気側合流部３０９を介して、給気元（図示せず）へ連通される給気管Ｃ３１０に接続されている。
また、排気管Ａ３０６と排気管Ｂ３０８のもう一方の端部は排気側合流部３１１を介して、排気ノズル（図示せず）へ連通される排気管Ｃ３１２に接続されている。
【００２９】
次に、図１を参照して、本発明の第一実施形態による水−空気圧変換装置の制御系の構成について説明する。
各圧力室の固定壁近傍には、可動隔壁Ａ１０５、及び可動隔壁Ｂ１０６が回転し固定壁に近づくことを検知するリミットスイッチＡ４０１、及びリミットスイッチＢ４０２が取り付けられている。
また、水−空気圧変換装置には制御部（図示せず）が設けられている。
ここで、制御部は、第一排水用止水弁２０２、第一給水用止水弁２０４、第二排水用止水弁２０６、第二給水用止水弁２０７、第一給排気用三方弁３０２、第二給排気用三方弁３０４、リミットスイッチＡ４０１、リミットスイッチＢ４０２と電気的に繋がっており、各止水弁の開閉と各三方弁の流路切替の制御信号と動力の供給、およびリミットスイッチＡ４０１、リミットスイッチＢ４０２からの制御信号入力などをを行うものである。
【００３０】
次に、図１を参照して、本発明の第一実施形態による水−空気圧変換装置１００の第一弁開閉状態における動作について説明する。
制御部により排水用三方弁２０２、第一給水用止水弁２０４、第二給水用止水弁２０７、第一給排気用三方弁３０２、第二給排気用三方弁３０４へそれぞれ第一弁開閉指令が伝達され、水−空気圧変換装置１００は第一弁開閉状態となる。
まず第一給水用止水弁２０４を開状態にすると同時に、第二給水用止水弁２０７を閉状態に、排水用三方弁２０２を水用圧力室Ｂ１０８と排水先が連通するように開状態とする。
このときに第一給排気用三方弁３０２は、排気ノズルと空気用圧力室Ａ１０９を連通するように開状態となり、同時に、第二給排気用三方弁３０４は、給気元と空気用圧力室Ｂ１１０を連通するように開状態となる。
【００３１】
各開閉弁が第一弁開閉状態となることにより、第一給水用止水弁２０４を通じて給水元から導かれた水は水用圧力室Ａ１０７へ侵入し、水用圧力室Ａ１０７は給水元圧により加圧される。
このとき、隣接する空気用圧力室Ａ１０９内は初期状態では大気圧であり、水用圧力室Ａ１０７内の給水元圧との圧力差により可動隔壁Ａ１０５は回転移動をはじめ、空気用圧力室Ａ１０９内の空気を加圧する。
空気用圧力室Ａ１０９は第一給排気用三方弁３０２により排気ノズルへ連通されているため、空気用圧力室Ａ１０９内の加圧された空気は排気ノズルへ導かれ、排気される。
【００３２】
これと同時に、可動隔壁Ａ１０５に接続されている可動隔壁Ｂ１０６も回転移動を行う。
可動隔壁Ｂ１０６の回転移動に伴い、水用圧力室Ｂ１０８内が加圧され、水用圧力室Ｂ１０８内の水は排水先に連通するように開状態となっている排水用三方弁２０２を通じて排水されると同時に、空気用圧力室Ｂ１１０内が減圧され、空気用圧力室Ｂ１１０内に第二給排気用三方弁３０４を通じて空気が給気される。
水用圧力室Ａ１０７の給水元圧により回転移動する可動隔壁Ａ１０５が、リミットスイッチＡ４０１まで移動・接触することにより、リミットスイッチＡ４０１がＯＮ信号を制御部へ伝達する。
【００３３】
次に、図２を参照して本発明の第一実施形態による水−空気圧変換装置１００の第二弁開閉状態における動作について説明する。
まず、リミットスイッチＡ４０１のＯＮ信号を受けた制御部は、排水用三方弁２０２、第一給水用止水弁２０４、第二給水用止水弁２０７、第一給排気用三方弁３０２、第二給排気用三方弁３０４へそれぞれ第二弁開閉指令を伝達し、水−空気圧変換装置１００は第二弁開閉状態となる。
まず第一給水用止水弁２０４を閉状態にすると同時に、第二給水用止水弁２０７を開状態に、排水用三方弁２０２を水用圧力室Ａ１０７と排水先を連通するように開状態となる。
その時、第一給排気用三方弁３０２は、給気元と空気用圧力室Ａ１０９を連通するように開状態となり、同時に、第二給排気用三方弁３０４は、排気ノズルと空気用圧力室Ｂ１１０を連通するように開状態となる。
【００３４】
第二給水用止水弁２０７を通じて給水元から導かれた水は水用圧力室Ｂ１０８へ侵入し、水用圧力室Ｂ１０８は給水元圧が加圧される。隣接する空気用圧力室Ｂ１１０内は初期状態では大気圧であり、水用圧力室Ｂ１０８内の給水元圧との圧力差により可動隔壁Ｂ１０６は回転移動をはじめ、空気用圧力室Ｂ１１０内の空気を加圧する。
空気用圧力室Ｂ１１０は第二給排気用三方弁３０４により排気ノズルへ連通されているため、空気用圧力室Ｂ１１０内の加圧された空気は排気ノズルへ導かれ、排気される。
【００３５】
これと同時に、可動隔壁Ｂ１０６に接続されている可動隔壁Ａ１０５も回転移動を行う。
可動隔壁Ａ１０５の回転移動に伴い、水用圧力室Ａ１０７内が加圧され、水用圧力室Ａ１０７内の水は排水先に連通するように開状態となっている排水用三方弁２０２を通じて排出されると同時に、空気用圧力室Ａ１０９内が減圧され、空気用圧力室Ａ１０９内に第一給排気用三方弁３０２を通じて空気が給気される。
水用圧力室Ｂ１０８の給水元圧により回転移動する可動隔壁Ｂ１０６が、リミットスイッチＢ４０２まで移動・接触することにより、リミットスイッチＢ４０２がＯＮ信号を制御部へ伝達する。
【００３６】
次に、本発明の第一実施形態による水−空気変換装置１００の繰返し動作について説明する。
まず、リミットスイッチＢ４０２のＯＮ信号を受けた制御部は、再び排水用三方弁２０２、第一給水用止水弁２０４、第二給水用止水弁２０７、第一給排気用三方弁３０２、第二給排気用三方弁３０４へそれぞれ第一弁開閉指令を伝達する。
リミットスイッチＡ４０１、及びリミットスイッチＢ４０２の信号にあわせ、制御部は上記の第一弁開閉状態と、第二弁開閉状態を交互に繰り返す。
【００３７】
本発明の第一実施形態の水−空気圧変換装置１００によれば、可動隔壁Ａ１０５と可動隔壁Ｂ１０６の回転往復運動により給水される水圧から空気圧へ変換するため、直動ピストン式の水−空気圧変換装置のようにピストンロッドの伸張部分が不要となり、コンパクトな水−空気圧変換装置が提供できる。
【００３８】
また、本実施形態の水−空気圧変換装置１００によれば、第一給水用止水弁２０４、第二給水用止水弁２０７のように個別に止水弁を設けることにより、止水弁が故障した際は、故障個所のみの交換による修理が出来、メンテナンス性を向上させることができる。
【００３９】
更に、本実施形態の水−空気圧変換装置１００によれば、開閉弁として三方弁を用いることにより、部品点数を削減によるコストダウンと、制御対象の減少による制御の簡単化を図ることが可能となる。
【００４０】
更に、本実施形態の水−空気圧変換装置１００によれば、リミットスイッチによる弁開閉状態の制御により、空気用圧力室Ａ１０９、空気用圧力室Ｂ１１０より効率よく交互に繰り返し空気圧を取り出すことができる。
【００４１】
更に、本実施形態の水−空気圧変換装置１００によれば、排気管Ａ３０６、及び排気管Ｂ３０８を接合させることにより、交互に繰り返し提供される空気圧を単一の排気ノズルより連続的に提供することができる。
【００４２】
次に、図３を参照して本発明の第一実施形態による水−空気圧変換装置１００をキッチン５００へ組込んだ例について説明する。
図３に示すように、水−空気圧変換装置１００は、キッチン水栓５０１の脇に設置され、水−空気圧変換装置１００への給水圧供給元として、キッチン水栓５０１に供給される水道水圧が利用できるように給水用配管５０２が分岐接続されており、水−空気圧変換装置１００への排水先として、排水用配管５０３が利用できるように分岐接続されている。
また、排気管Ｃ３１２は排気ノズル５０４へ連通するように接続されており、排気ノズル５０４はキッチンシンク５０５へ向けられる。
【００４３】
このように本発明の第一実施形態による水−空気圧変換装置１００をキッチン５００へ組込むことにより、キッチン５００における食器等の洗浄後に、食器等に残留した水滴を吹き飛ばすためのエアシャワーとして提供することができる。
【００４４】
また、本発明の第一実施形態による水−空気圧変換装置１００をキッチン５００へ組込む際、キッチン５００に接続されている既存の給排水管を利用するため、新たに給排水管を準備するための工事が不要となり、施工を簡単化できる。
【００４５】
更に、本発明の第一実施形態による水−空気圧変換装置１００をキッチン５００へ組込むことにより、水−空気圧変換装置１００にて加圧された水が断続的に排水されるため、排水用配管５０３内を洗浄することができる。
【００４６】
なお、本実施形態の水−空気圧変換装置１００における給水用、排水用の配管構成、および、止水弁や三方弁の取り付け位置については一例を示したにすぎず、水圧を空気圧に変換できる構成であれば、上述した以外の配管構成、また、上述した構成の組み合わせであってもかまわない。
また、固定壁Ａ１０３と固定壁Ｂ１０４は、可動隔壁Ａ１０５と可動隔壁Ｂ１０６の位置を入れ替えた構成とした場合でも給水元圧から空気圧を変換することができる。
【図面の簡単な説明】
【００４７】
【図１】本発明の第一実施形態による水−空気圧変換装置の第一弁開閉状態における概略断面図である。
【図２】本発明の第一実施形態による水−空気圧変換装置の第二弁開閉状態における概略断面図である。
【図３】本発明の第一実施形態による水−空気圧変換装置をキッチンへ組込んだ例の概略図である。
【符号の説明】
【００４８】
１００            水−空気圧変換装置
１０１            円筒状容器
１０２            円筒中心軸
１０３            固定壁Ａ
１０４            固定壁Ｂ
１０５            可動隔壁Ａ
１０６            可動隔壁Ｂ
１０７            水用圧力室Ａ
１０８            水用圧力室Ｂ
１０９            空気用圧力室Ａ
１１０            空気用圧力室Ｂ
１１１            第一排水接続口
１１２            第一給水接続口
１１３            第二排水接続口
１１４            第二給水接続口
１１５            第一給排気接続口
１１６            第二給排気接続口
２０１            水管Ａ
２０２            排水用三方弁
２０３            水管Ｂ
２０４            第一給水用止水弁
２０５            水管Ｃ
２０６            水管Ｄ
２０７            第二給水用止水弁
２０８            給水管
２０９            第一分岐部
２１０            排水管
３０１            空気管Ａ
３０２            第一給排気用三方弁
３０３            空気管Ｂ
３０４            第二給排気用三方弁
３０５            給気管Ａ
３０６            排気管Ａ
３０７            給気管Ｂ
３０８            排気管Ｂ
３０９            給気側合流部
３１０            給気管Ｃ
３１１            排気側合流部
３１２            排気管Ｃ
４０１            リミットスイッチＡ
４０２            リミットスイッチＢ
５００            キッチン
５０１            キッチン水栓
５０２            給水用配管
５０３            排水用配管
５０４            排気ノズル
５０５            キッチンシンク
【図１】
2006329017.tif 000003
【図２】
2006329017.tif 000004
【図３】
2006329017.tif 000005